(57)【要約】【課題】  ランド／グルーブ記録方式を用いた光ディスクのアドレス信号位置検出において、再生信号の差信号におけるＤＣ対称性が悪い場合においても、安定したアドレス信号位置検出を行うことのできるアドレス信号位置検出装置およびアドレス信号位置検出方法を提供する。【解決手段】  フォトディテクタ１０と、フォトディテクタ１０の出力信号から光スポットのトラッキング誤差に応じて互いに位相が変化する２つの信号系列を生成する第１、及び第２の加算器２０ａ、２０ｂと、２つの信号系列から位相差を検出するための位相差検出回路３０と、位相差検出回路３０により検出された位相差信号を用いてアドレス信号位置を生成する位相差信号処理部４０とを備え、位相差検出回路３０で検出される位相差に対して閾値を設けることにより、アドレス信号位置を検出する。【選択図】  図１
2005158244.tif 000002
【特許請求の範囲】
【請求項１】
光ディスク上にプリフォーマットされたアドレス信号の位置をピックアップの受光素子からの出力信号に基づいて検出するアドレス信号位置検出装置であって、
前記ピックアップの受光素子からの各信号出力を入力とし、該各信号間の位相差を検出する位相差検出回路と、
該位相差検出回路により検出された位相差信号を用いて、アドレス信号位置を生成する位相差信号処理部とを備えた、
ことを特徴とするアドレス信号位置検出装置。
【請求項２】
請求項１に記載のアドレス信号位置検出装置において、
前記各信号出力は、前記ピックアップが有する４つの前記受光素子の中で対角線方向に位置する各受光素子対の信号出力をそれぞれ加算した２つの和信号である、
ことを特徴とするアドレス信号位置検出装置。
【請求項３】
請求項１に記載のアドレス信号位置検出装置において、
前記位相差信号処理部は、前記位相差信号に対して＋側及び−側の２つの閾値を持つコンパレータを有する、
ことを特徴とするアドレス信号位置検出装置。
【請求項４】
請求項１に記載のアドレス信号位置検出装置において、
前記ピックアップの受光素子からの各信号出力から再生波形のパターンを検出するパターン検出回路を、さらに備え、
前記位相差検出回路は、前記パターン検出回路で検出したパターンが所定のパターンと一致しない場合には、位相比較を行わない、
ことを特徴とするアドレス信号位置検出装置。
【請求項５】
請求項４に記載のアドレス信号位置検出装置において、
前記位相差検出回路は、前記所定のパターンの検出を、再生を行う光ディスクで用いられている記録符号に基づいて行う、
ことを特徴とするアドレス信号位置検出装置。
【請求項６】
請求項１に記載のアドレス信号位置検出装置において、
前記受光素子の各出力信号のエンベロープ信号を検出する振幅検出回路を、さらに備え、
前記位相差検出回路は、前記エンベロープ信号の値が所定の閾値以下の場合には、位相差信号を出力しない、
ことを特徴とするアドレス信号位置検出装置。
【請求項７】
請求項１に記載のアドレス信号位置検出装置において、
前記光ディスクはDigital Versatile Disk Random Access Memory（以下、ＤＶＤ−ＲＡＭと称す）である、
ことを特徴とするアドレス信号位置検出装置。
【請求項８】
光ディスクを回転させるスピンドルモータと、
前記光ディスクから再生信号を読み取る光ピックアップと、
該光ピックアップにより読み取られた再生信号を処理する再生信号処理装置と、
該再生信号処理装置にて処理された信号を復調し、エラー訂正を施す復調装置と、
前記光ピックアップからの出力信号からサーボ制御用の誤差信号を生成するサーボ誤差検出回路と、
該サーボ制御用の誤差信号に基づいて前記スピンドルモータと前記光ピックアップとを制御するサーボ制御回路と、
前記ピックアップの受光素子からの各信号出力を入力とし、該各信号間の位相差を検出する位相差検出回路と、該位相差検出回路により検出された位相差信号を用いて、アドレス信号位置を生成する位相差信号処理部とを有し、前記光ピックアップからの出力信号を処理するアドレス信号位置検出装置と、
外部とデータ通信を行うとともに、各機能ブロックを制御するシステムコントローラとを備えた、
ことを特徴とする光ディスク再生装置。
【請求項９】
光ディスク上にプリフォーマットされたアドレス信号の位置をピックアップの受光素子からの出力信号に基づいて検出するアドレス信号位置検出方法であって、
前記ピックアップの受光素子からの各信号出力を入力とし、該各信号間の位相比較を行い位相差信号を出力する位相差検出工程と、
該位相差検出工程により検出された位相差信号を用いて、アドレス信号位置を生成する位相差信号処理工程とを含む、
ことを特徴とするアドレス信号位置検出方法。
【請求項１０】
請求項９に記載のアドレス信号位置検出方法において、
前記光ディスクはＤＶＤ−ＲＡＭである、
ことを特徴とするアドレス信号位置検出方法。
【発明の詳細な説明】
【技術分野】
【０００１】
本発明は、アドレス信号位置検出装置、光ディスク再生装置およびアドレス信号位置検出方法に関し、特に、案内溝によって形成された凹部の記録トラックと、案内溝の間に形成された凸部の記録トラックの両方に信号を記録するようにし、更に、各記録トラックを長さの等しい整数個の記録セクタで構成して、それぞれの記録セクタの先頭部分にトラックアドレス等の情報を含むアドレス信号部を付加した光ディスク媒体における、アドレス信号部の位置を検出するアドレス信号位置検出装置およびこれを有する光ディスク再生装置並びにアドレス信号位置検出方法の改良を図ったものに関する。
【背景技術】
【０００２】
ＤＶＤ−ＲＡＭ（Digital Versatile Disk Random Access Memory）に代表される、ランド／グルーブ方式を用いた光ディスク媒体は、案内溝によって形成された凹部の記録トラックと、案内溝の間に形成された凸部の記録トラックとの両方に信号を記録し、更に、各記録トラックを長さの等しい整数個の記録セクタで構成したものである。また、それぞれの記録セクタの先頭部分にはトラックアドレス等の情報を含むアドレス信号部を付加している。この種の光ディスク媒体においては、アドレス信号の位置を検出することにより、トラッキング極性の判定等の処理を行っている。
この一例として、特許文献１に示すようなものがある。
【０００３】
以下に、上記特許文献１で示される従来のアドレス信号位置検出装置について説明する。
図１１は、この種のランド／グルーブ記録方式を用いた光ディスク媒体のトラックレイアウトを示す図である。この図１１は、１つのゾーン内のトラックと記録セクタの配置、及び記録セクタの構成を示している。図１１に示すように、図中黒で示した溝部（以下、グルーブ、凹部ともいう）のトラック（以下、グルーブトラックという）と、図中白で示した溝間部（以下、ランド、凸部ともいう）のトラック（以下、ランドトラックという）とがディスク１周毎に交互に１回接続され、１本の螺旋状の記録トラックが構成されている。また、１本の記録トラックは、整数個の記録セクタで構成されており、それぞれのセクタの先頭部分には、プリフォーマットされたアドレス信号部が付加されている。このプリフォーマットされたアドレス信号部は、光ディスク記録媒体の製造時に記録されたものである。アドレス信号部は走査方向で見て前部と後部の２つの部分からなる。その前部は溝部から溝幅の１／２だけディスク媒体の外周側に変位して配置され、後部は溝部から溝幅の１／２だけディスク媒体の内周側に変位して配置されている。
【０００４】
溝部のアドレスは、その情報記録部直前のアドレス信号部の中に、溝部中心から溝幅の１／２だけ外周側に変位して配置した溝部の前部アドレス信号部に付加する。また、溝間部のアドレスは、その溝間部の記録トラックの１本外周側の溝部の記録トラックの情報記録部直前のアドレス信号部の中に、溝部中心から溝幅の１／２だけ内周側に変位して配置した後部アドレス信号部に付加する。結果として、溝間部のアドレスはその情報記録部直前のアドレス信号部の中に、溝間部中心から溝幅の１／２だけ外周側に変位して配置された溝部の後部アドレス信号部に付加した形となる。
【０００５】
次に、ディスク１周に１回、ディスクの半径方向に整列して存在するランドとグルーブの接続部でのアドレス信号部について説明する。
溝部の記録トラックと溝間部の記録トラックとの接続点の直後の記録セクタにおいては、そのアドレス信号部のアドレス信号の配置が境界部以外のアドレス信号の配置と同様に、前部は溝部から溝幅の１／２だけ外周側に変位して配置する。後部は溝部から溝幅の１／２だけ内周側に変位して配置する。アドレス値の付加も境界部以外と同様に、溝部のアドレスはその情報記録部直前の溝部から溝幅の１／２だけ外周に変位して配置した前部アドレス信号部に付加する。また、溝間部のアドレスは、その情報記録部直前の溝間部から溝幅の１／２だけ外周側に変位して配置した後部アドレス信号部に付加される。
【０００６】
以上に述べたようにアドレス信号の一部である第１の部分を、溝部の中心から半径方向の一方の向き、例えば外周側へ一定量変位して配置し、前記アドレス信号の他の一部である第２の部分を、溝部の中心から半径方向の他方の向き、すなわち例えば内周側へ前記一定量と同量変位して配置すると共に、このディスクを再生するときに、トラッキングエラー信号、すなわち、ラジアル方向（半径方向）のトラッキングセンサの差信号を、閾値の異なる２つのコンパレータで２値化して、その変化を検出する。これにより、各記録セクタのトラッキング極性を判定することができ、ランドトラックとグルーブトラックとの接続点を検出することができる。
【０００７】
このアドレス信号位置の検出方法に関しては、特許文献１に示されており、図１２に同特許文献１に記載された検出のタイミング図を示す。
【０００８】
グルーブとプリフォーマットしたアドレス信号との配置を図１２のディスク面上の信号配置に示す。溝部のアドレス信号のうち前半部分をグルーブ中心に対して外周側にトラックピッチの１／２変位させ、後半部分をグルーブ中心に対して内周側にトラックピッチの１／２変位させるように配置する。これにより、ランドトラック・グルーブトラックが接続する境界セクタ部分と、そうでない通常セクタ部分のアドレス信号配置は、図１２のディスク面上の信号配置に見られるように異なるものとなる。ここで、ピックアップの受光素子からの出力信号の差を取ることにより、プッシュプル方式トラッキングサーボ系に使用する差信号が、図１２の差信号のように得られる。
【０００９】
このとき、アドレス信号部で、プリピットが光ビームの進行方向に対して左右にそれぞれトラックピッチの１／２だけ変位していることを検知するために、コンパレータにより、それぞれ閾値をＬｔｈとＲｔｈの２レベル用意する。これにより、光ビームのトラッキングが、図１２中トレース方向に対し左側（内周側）に変位していることを示す２値化信号Ｌ０と、右側（外周側）に変位していることを示す２値化信号Ｒ０とを生成する。差信号レベルが、Ｌｔｈ以上であればＬ０はＨｉ、Ｌｔｈ以下であればＬ０はＬｏになる。また差信号レベルが、Ｒｔｈ以下であればＲ０はＨｉ、Ｒｔｈ以上であればＲ０はＬｏになる。Ｌ０、Ｒ０の様子は、図１２のＬ０、Ｒ０に示すようになる。
【００１０】
アドレス信号は、溝が情報で変調されて断続し、ピット列の形となっているので、差信号波形生成部（図示せず）からの２つの２値化差信号Ｌ０、Ｒ０もデータ信号周波数で変調された波形である。そこで、入力された２つの２値化差信号から、アドレス信号の前半部分、後半部分の有無を検出できるようにするために、ピット列波形を、例えばリトリガラブルなモノマルチ・バイブレータなどを使用して、アドレス信号の前半部分、後半部分で、それぞれ連続な１パルスになるように波形を補正している。Ｌ０を補正して２値化補正差信号Ｌ１を、Ｒ０を補正して２値化補正差信号Ｒ１を生成する。これら補正差信号Ｌ１、Ｒ１の様子は、図１２のＬ１、Ｒ１に示すようになる。
【特許文献１】特許第３０７３７４４号（第１１−１２頁、第１１図）
【発明の開示】
【発明が解決しようとする課題】
【００１１】
しかしながら、上述した従来のアドレス信号位置検出装置の構成では、検出に用いる差信号においてアドレス情報部の前後におけるＤＣ対称性が悪い場合には、安定したアドレス位置検出が出来ない、という問題点を有していた。
【００１２】
図１３は、アドレス情報部の前後におけるＤＣ対称性が悪い場合のアドレス位置検出信号を示した図である。光ディスク媒体のトラック上に光を照射して得られる光スポットの反射光を受信することによって、図１３のｓ１００，ｓ１０１，ｓ１０２，ｓ１０３の出力信号が得られる。この出力信号は、図１３のディスク面上の信号に示すように、田の字型に４分割された受光素子１０ａ、１０ｂ、１０ｃ、１０ｄからなるフォトディテクタ１０を用いることで得られる。従来装置の構成においては、アドレス位置検出に使用する差信号は、フォトディテクタ１０の受光素子１０ａ、１０ｄの出力の和から、フォトディテクタ１０の受光素子１０ｂ、１０ｃの出力の和を引くことにより求めることができる。この前半部に対応する差信号は、図１３の差信号の波形に示すように、アドレス情報部の後半部に対応する差信号に比べＤＣオフセットが小さく、アドレス情報部の前後におけるＤＣ対称性が悪くなっている。
【００１３】
この差信号の対象性が悪くなっているのは、ピックアップの製造時のばらつき等により、光ディスク媒体の信号面の反射光に対する光軸のずれ等が生じ、受光素子１０ａ、１０ｂ、１０ｃ、１０ｄの出力信号ｓ１００，ｓ１０１，ｓ１０２，ｓ１０３にオフセットが生じることによる。
【００１４】
従って、この差信号を用いて、かつ閾値Ｌｔｈ及びＲｔｈを用いてアドレス位置を検出しようとした場合、図１３のＬ１、Ｒ１に示すように、差信号が閾値Ｌｔｈのレベルを越えていない。このため、アドレス位置信号が片方しか検出できなくなる。片側しかアドレス位置信号が検出できなくなると、ランド／グルーブの境界におけるトラッキングの極性切替ができないため、安定したトラッキングサーボをかけることができなくなる。この片側しか検出できない状態を回避するためには、閾値の設定値を変更してセンター側にシフトさせるようにすれば、その検出ができるようになる。しかしながら、センター側にシフトしすぎると、トラッキングがゆれた際にデータ記録部に現れる差信号の変動分が閾値を越えてしまい、データ記録部においてデータ信号を誤ってアドレス位置信号として検出してしまう。このため、ランド／グルーブの境界以外でトラッキングの極性切替を行ってしまい、トラッキングサーボが安定して、かからなくなってしまうこととなる。
【００１５】
このように、従来のアドレス信号位置検出装置においては、ＤＣ対称性が悪い場合には、安定したアドレス位置検出を行うことができない、という問題があった。
【００１６】
本発明は、上記のような従来の問題点を解決するためになされたものであり、ＤＣ対称性が悪い場合においても、安定したアドレス信号位置検出を行うことのできるアドレス信号位置検出装置およびこれを有する光ディスク再生装置並びにアドレス信号位置検出方法を提供することを目的としている。
【課題を解決するための手段】
【００１７】
前記従来の課題を解決するために、本発明に係るアドレス信号位置検出装置は、光ディスク上にプリフォーマットされたアドレス信号の位置をピックアップの受光素子からの出力信号に基づいて検出するアドレス信号位置検出装置であって、前記ピックアップの受光素子からの各信号出力を入力とし、該各信号間の位相差を検出する位相差検出回路と、該位相差検出回路により検出された位相差信号を用いて、アドレス信号位置を生成する位相差信号処理部とを備えた、ことを特徴とするものである。
【００１８】
また、本発明に係るアドレス信号位置検出装置は、前記各信号出力は、前記ピックアップが有する４つの前記受光素子の中で対角線方向に位置する各受光素子対の信号出力をそれぞれ加算した２つの和信号である、ことを特徴とするものである。
【００１９】
また、本発明に係るアドレス信号位置検出装置は、前記位相差信号処理部は、前記位相差信号に対して＋側及び−側の２つの閾値を持つコンパレータを有する、ことを特徴とするものである。
【００２０】
また、本発明に係るアドレス信号位置検出装置は、前記ピックアップの受光素子からの各信号出力から再生波形のパターンを検出するパターン検出回路を、さらに備え、前記位相差検出回路は、前記パターン検出回路で検出したパターンが所定のパターンと一致しない場合には、位相比較を行わない、ことを特徴とするものである。
【００２１】
また、本発明に係るアドレス信号位置検出装置は、前記位相差検出回路は、前記所定のパターンの検出を、再生を行う光ディスクで用いられている記録符号に基づいて行う、ことを特徴とするものである。
【００２２】
また、本発明に係るアドレス信号位置検出装置は、前記受光素子の各出力信号のエンベロープ信号を検出する振幅検出回路を、さらに備え、前記位相差検出回路は、前記エンベロープ信号の値が所定の閾値以下の場合には、位相差信号を出力しない、ことを特徴とするものである。
【００２３】
また、本発明に係るアドレス信号位置検出装置は、前記光ディスクがDigital Versatile Disk Random Access Memory（以下、ＤＶＤ−ＲＡＭと称す）である、ことを特徴とするものである。
【００２４】
また、本発明に係る光ディスク再生装置は、光ディスクを回転させるスピンドルモータと、前記光ディスクから再生信号を読み取る光ピックアップと、前記光ピックアップにより読み取られた再生信号を処理する再生信号処理装置と、前記再生信号処理装置にて処理された信号を復調し、エラー訂正を施す復調装置と、前記光ピックアップからの出力信号からサーボ制御用の誤差信号を生成するサーボ誤差検出回路と、前記サーボ制御用の誤差信号に基づいて前記スピンドルモータと前記光ピックアップとを制御するサーボ制御回路と、前記ピックアップの受光素子からの各信号出力を入力とし、該各信号間の位相差を検出する位相差検出回路と、該位相差検出回路により検出された位相差信号を用いて、アドレス信号位置を生成する位相差信号処理部とを有し前記光ピックアップからの出力信号を処理するアドレス信号位置検出装置と、外部とデータ通信を行うとともに、各機能ブロックを制御するシステムコントローラとを備えた、ことを特徴とするものである。
【００２５】
また、本発明に係るアドレス信号位置検出方法は、光ディスク上にプリフォーマットされたアドレス信号の位置をピックアップの受光素子からの出力信号に基づいて検出するアドレス信号位置検出方法であって、前記ピックアップの受光素子からの各信号出力を入力とし、該各信号間の位相比較を行い位相差信号を出力する位相差検出工程と、該位相差検出工程により検出された位相差信号を用いて、アドレス信号位置を生成する位相差信号処理工程とを含む、ことを特徴とするものである。
【００２６】
また、本発明に係るアドレス信号位置検出方法は、前記光ディスクがＤＶＤ−ＲＡＭである、ことを特徴とするものである。
【発明の効果】
【００２７】
本発明に係るアドレス信号位置検出装置によれば、ピックアップが有する４つの受光素子の中で対角線方向に位置する各受光素子対の信号出力をそれぞれ加算した２つの和信号を入力とし、該信号間の位相差を検出する位相差検出回路と、該位相差検出回路により検出された位相差信号を用いてアドレス信号位置を生成する位相差信号処理部とを備え、該位相差信号処理部は、前記位相差信号に対して＋側及び−側の２つの閾値を持つコンパレータを有することにより、従来の差信号を用いたアドレス信号位置検出装置において検出が困難であったアドレス情報部の前後においてＤＣ対称性が悪い場合においても、安定したアドレス信号位置検出を行うことが可能となる。
【００２８】
また、本発明に係るアドレス信号位置検出装置によれば、ピックアップの受光素子からの各信号出力から再生波形のパターンを検出するパターン検出回路をさらに備え、前記位相差検出回路は、前記パターン検出回路で検出したパターンが所定のパターンと一致しない場合には、位相比較を行わないことにより、記録トラックにデータが記録されていない未記録ディスクを再生中に、前記位相差検出回路が位相差を誤検出することを防止し、アドレス情報部以外においてアドレス位置信号を誤検出することがなくなるため、安定したアドレス信号位置検出が可能となる。
【００２９】
また、本発明に係るアドレス信号位置検出装置によれば、前記受光素子の各出力信号のエンベロープ信号を検出する振幅検出回路をさらに備え、該エンベロープ信号の値が所定の閾値以下の場合には前記位相差検出回路から位相差信号を出力しないことにより、記録トラックにデータが記録されていない未記録ディスクを再生中に、前記位相差検出回路が位相差を誤検出することを防止し、アドレス情報部以外においてアドレス位置信号を誤検出することがなくなるため、安定したアドレス信号位置検出が可能となる。
【００３０】
また、本発明に係る光ディスク再生装置によれば、光ディスクを回転させるスピンドルモータと、前記光ディスクから再生信号を読み取る光ピックアップと、該光ピックアップにより読み取られた再生信号を処理する再生信号処理装置と、該再生信号処理装置にて処理された信号を復調し、エラー訂正を施す復調装置と、前記光ピックアップからの出力信号からサーボ制御用の誤差信号を生成するサーボ誤差検出回路と、該サーボ制御用の誤差信号に基づいて前記スピンドルモータと前記光ピックアップとを制御するサーボ制御回路と、外部とデータ通信を行うとともに、各機能ブロックを制御するシステムコントローラとを備えた光ディスク再生装置のアドレス信号位置検出装置として、前記ピックアップの受光素子からの各信号出力を入力とし、該各信号間の位相差を検出する位相差検出回路と、該位相差検出回路により検出された位相差信号を用いて、アドレス信号位置を生成する位相差信号処理部とを有し、前記光ピックアップからの出力信号を処理するものを用いるようにしたので、従来の差信号を用いたアドレス信号位置検出装置において検出が困難であったアドレス情報部の前後においてＤＣ対称性が悪い場合においても、安定したアドレス信号位置検出を行うことが可能となる。
【００３１】
また、本発明に係るアドレス信号位置検出方法によれば、ピックアップの受光素子からの各信号出力を入力とし、該各信号間の位相比較を行い位相差信号を出力する位相差検出工程と、該位相差検出工程により検出された位相差信号を用いて、アドレス信号位置を生成する位相差信号処理工程とを含む、ことにより、従来の差信号を用いたアドレス信号位置検出装置において検出が困難であったアドレス情報部の前後においてＤＣ対称性が悪い場合においても、安定したアドレス信号位置検出を行うことが可能となる。
【発明を実施するための最良の形態】
【００３２】
以下に、本発明の実施の形態によるアドレス信号位置検出装置，光ディスク再生装置およびアドレス信号位置検出方法を図面とともに詳細に説明する。
【００３３】
（実施の形態１）
以下に、本発明の実施の形態１によるアドレス信号位置検出装置およびアドレス信号位置検出方法について説明する。
図１は、本発明の実施の形態１によるアドレス信号位置検出装置の構成を示すブロック図である。
【００３４】
図１に示すように、本発明の実施の形態１によるアドレス信号位置検出装置は、ピックアップに装着され光スポットの反射光を受光するフォトディテクタ１０と、フォトディテクタ１０の出力信号から光スポットのトラッキング誤差に応じて互いに位相が変化する２つの信号系列を生成する信号生成器、すなわち第１、及び第２の加算器２０ａ、２０ｂと、２つの信号系列から位相差を検出するための位相差検出回路３０と、位相差検出回路３０により検出された位相差信号を用いてアドレス信号位置を生成する位相差信号処理部４０とを備える。
【００３５】
位相差検出回路３０は、所定のカットオフ周波数以下の周波数を除去する第１、及び第２のハイパスフィルタ（ＨＰＦ）３１ａ、３１ｂと、第１、及び第２のＨＰＦ３１ａ、３１ｂの出力信号をゼロクロスで２値化するための第１、及び第２のコンパレータ３２ａ、３２ｂと、第１、及び第２のコンパレータ３２ａ、３２ｂにより２値化された、該２つの２値化信号間の位相差を検出する位相比較器３３と、位相比較器３３の出力パルス信号を平滑化して位相差信号として出力するためのローパスフィルタ（ＬＰＦ）３４とを備える。
【００３６】
位相差信号処理部４０は、位相差検出回路３０で検出された位相差信号に対して、＋側、及び−側の２つの閾値を持つ第３、及び第４のコンパレータ４１ａ、４１ｂを備える。
そしてこの位相差検出回路３０は、ピックアップの受光素子からの各信号出力を入力とし、該各信号間の位相比較を行い位相差信号を出力する位相差検出工程を、位相差信号処理部４０は、位相差検出工程により検出された位相差信号を用いて、アドレス信号位置を生成する位相差信号処理工程を、それぞれ実行する。
【００３７】
なお、ここでは、フォトディテクタ１０が有する受光素子として、田の字型に４分割された受光素子１０ａ、１０ｂ、１０ｃ、１０ｄを備えるものとする。
先ず、フォトディテクタ１０は、光ディスク媒体のトラック上に光を照射して得られる光スポットの反射光を受信して、受光量に応じた信号を出力する。
【００３８】
図２ないし図４は、光スポットが光ディスク媒体上を通過するときの反射光量の強度分布パターン（ファーフィールドパターン）の変化の一例を示す。図２（ａ）ないし図４（ａ）は光スポット１００と情報ピット１１０との位置関係を、図２（ｂ）ないし図４（ｂ）は受光素子上における反射光量の強度分布パターン（ファーフィールドパターン）を、図２（ｃ）ないし図４（ｃ）は受光素子から得られる信号を、それぞれ示す。
【００３９】
光スポット１００が情報ピット１１０上を通過すると、その反射光量のファーフィールドパターンが時間的に変化する。図３に示すように、光スポット１００が情報ピット１１０の中心、すなわちトラックの中心を通過するときは図中のハッチングで示すように左右対称にパターンが変化する。図２に示すように、光スポット１００が情報ピット１１０の中心より左側を通過するときは時計方向に回転するようにパターンが変化し、反対に右側を通過するときは、図４に示すように反時計回りに回転するように変化する。
【００４０】
フォトディテクタ１０は、図に示すように田の字型に４分割された受光素子１０ａ、１０ｂ、１０ｃ、１０ｄを有しており、それぞれへの入射光量に応じた信号が出力される。その後、第１の加算器２０ａによりフォトディテクタ１０の受光素子１０ａ、１０ｃの出力の和を、第２の加算器２０ｂによりフォトディテクタ１０の受光素子１０ｂと１０ｄの出力の和を、という具合に、対角方向の受光素子から得られた信号同士の加算を行い、これらの信号の位相を比較することにより、図２から図４の（ｃ）に示すように、位相の進み量あるいは遅れ量から光スポットとトラックとの位置ずれを検出することができる。
【００４１】
次に、ランド／グルーブ記録方式を用いた光ディスク媒体上の光スポットと記録ピットの関係について説明する。図５は、ランド／グルーブ記録方式を用いた光ディスク媒体上の光スポットと記録ピットの関係の一例を示したものである。図中の左側から右側に進行する光スポット１００はデータ記録部（情報記録部）上では光スポット１００は中心を通過しているが、アドレス情報部（アドレス信号部）の前半ではアドレス情報部の中心に対して右側を、アドレス情報部の後半ではアドレス情報部の中心に対して左側をそれぞれ通過している。これらの状態は、前述の図２から図４で説明した光スポットと情報ピットの位置関係と一致しており、データ記録部は図３の状態に、アドレス情報部の前半は図２の状態に、アドレス情報部の後半は図４の状態にそれぞれ対応している。したがって、データ記録部では、第１の加算器２０ａと第２の加算器２０ｂの出力信号間における位相差は発生しないが、アドレス情報部では、第１の加算器２０ａと第２の加算器２０ｂの出力信号間における位相差が発生し、更にアドレス情報部の前半と後半で極性が異なる位相差が発生する。この極性の異なる位相差情報を用いることにより、アドレス情報部の前半と後半における位置情報を検出することが可能となる。
【００４２】
次に、位相差検出回路３０、及び位相差信号処理部４０の詳細な動作について図６を使って説明する。図６は、図１中の（ｓ１）〜（ｓ４）で示された信号の波形を示す波形図である。図６（ｓ１）〜（ｓ４）は、前述の図１３で説明した従来の構成で問題となっていたアドレス情報部の前後におけるＤＣ対称性が悪い場合におけるフォトディテクタ１０の受光素子１０ａ、１０ｂ、１０ｃ、１０ｄの各出力信号を示したものである。従来の構成では、フォトディテクタ１０の各受光素子から求めた差信号において、アドレス情報部の前後におけるＤＣ対称性が悪くなっていたため、アドレス位置の検出が困難であった。これに対し、本実施の形態１による位相差信号を用いてアドレス位置を検出する方法では、まず、第１の加算器２０ａにより、フォトディテクタ１０の受光素子１０ａ、１０ｃの出力の和を、第２の加算器２０ｂにより、フォトディテクタ１０の受光素子１０ｂと１０ｄの出力の和をそれぞれ求めた後、位相差検出回路３０にある第１、及び第２のＨＰＦ３１ａ、３１ｂにより所定のカットオフ周波数以下の周波数の信号を取り除くことにより、図６（ｓ５）、及び図６（ｓ６）に示す波形が得られる。
【００４３】
この第１、及び第２のＨＰＦ３１ａ、３１ｂの出力信号は、第１、及び第２のコンパレータ３２ａ、３２ｂによって図６（ｓ７）、及び図６（ｓ８）に示すように２値化される。２値化されたこれらの信号の立ち上がり、あるいは立ち下がりの位相差を位相比較器３３により検出する。
【００４４】
図１に示した位相比較器３３の回路構成では、立ち下がりの位相差を、Ｄ型フリップフロップ（Ｄ−ＦＦ）３３１ａ、３３１ｂを用いて検出する。Ｄ−ＦＦ３３１ａ、３３１ｂは、入力端子Ｄ、クロック入力端子Ｔ、リセット入力端子Ｒ、および出力端子Ｑ、及びＱ−を有し、リセット端子Ｒの入力が論理「Ｌ」レベルの時は、無条件に出力端子Ｑの出力は「Ｌ」レベルとなり、リセット端子Ｒの入力が論理「Ｈ」レベルの時、クロック端子Ｔの「Ｈ」→「Ｌ」への立ち下がり時点で、入力端子Ｄに与えられたものと等しい論理レベルの信号が、端子Ｑから出力される。つまり、Ｄ−ＦＦ３３１ａ、３３１ｂは、それぞれ２値化信号の位相差を検出し、図６（ｓ９）、及び図６（ｓ１０）に示す時間差パルスＡ、及び時間差パルスＢを得る。時間差パルスＡは、Ｄ−ＦＦ３３１ａの出力端子Ｑから出力され、時間差パルスＢは、Ｄ−ＦＦ３３１ｂの出力端子Ｑから出力される。時間差パルスＡ、及び時間差パルスＢは、差分検出器３３２により図６（ｓ１１）に示すパルス幅変調信号に変換され、更に、ＬＰＦ３４に通されて図６（ｓ１２）に示す位相差信号が得られる。
【００４５】
位相差信号処理部４０では、位相差信号の極性の変化によって現れるアドレス信号位置の情報を検出するために、位相差信号に対して＋側及び−側の２つの閾値を持つ第３、及び第４のコンパレータ４１ａ、４１ｂを設けており、アドレス位置信号Ａと、アドレス位置信号Ｂを生成する。位相差信号が＋側の閾値以上ならば、アドレス位置信号ＡはＨｉ、＋側の閾値以下ならば、アドレス位置信号ＡはＬｏとなる。また位相差信号が−側の閾値以下ならば、アドレス位置信号ＢはＨｉ、−側の閾値以上ならば、アドレス位置信号ＢはＬｏとなる。
【００４６】
図６（ｓ１３）、及び図６（ｓ１４）に、検出されたアドレス位置信号Ａ、及びアドレス位置信号Ｂを示す。
【００４７】
コンパレータで使用する＋側、及び−側の閾値の設定は、例えば、トラッキングのずれ量が１／４トラックピッチに相当する位相差信号のレベルに設定する。これは、アドレス信号部で検出された位相差信号は、記録トラックのセンターに対してトラックピッチ１／２だけ左右にずれたアドレス位置信号を検出していることを考慮している。
【００４８】
このように、本発明の実施の形態１によるアドレス信号位置検出装置によれば、ピックアップの受光素子からの各信号出力を入力とし、該信号間の位相比較を行い位相差信号を出力する位相差検出回路３０と、前記位相差検出回路により検出された位相差信号を用いてアドレス信号位置を生成する位相差信号処理部４０とを備え、前記位相差信号処理部において、前記位相差信号に対して＋側、及び−側の２つの閾値を持つコンパレータ３２ａ、３２ｂを備えるようにしたことにより、従来の差信号を用いたアドレス信号位置検出装置において検出が困難であった、アドレス情報部の前後においてＤＣ対称性が悪い場合にも、安定したアドレス信号位置の検出が可能となる効果が得られる。
【００４９】
（実施の形態２）
以下に、本発明の実施の形態２によるアドレス信号位置検出装置について説明する。
図７（ａ）は、本発明の実施の形態２によるアドレス信号位置検出装置の全体構成を示すブロック図である。また、図７（ｂ）はそのパターン検出回路および無効パルスキャンセル部の内部構成の一例を示すブロック図である。
【００５０】
図７に示すように、本発明の実施の形態２によるアドレス信号位置検出装置は、フォトディテクタ１０と、第１、及び第２の加算器２０ａ、２０ｂと、位相差検出回路３７と、パターン検出回路５０と、位相差信号処理部４０とを備える。なお、本実施の形態２によるアドレス信号位置検出装置における、位相差検出回路３７、及びパターン検出回路５０以外の各構成要素は、図１を用いて前述した実施の形態１と同じであるため、ここでは、同一の符号を付してその説明を省略する。
【００５１】
位相差検出回路３７は、第１、及び第２のＨＰＦ３１ａ、３１ｂと、第１、及び第２のコンパレータ３２ａ、３２ｂと、位相比較器３３と、無効パルスキャンセル部３５と、ＬＰＦ３４とからなる。なお、位相差検出回路３７を構成する無効パルスキャンセル部３５以外の各構成要素は、図１を用いて前述した実施の形態１と同じであるため、ここでは、同一の符号を付し、ここでは説明を省略する。
【００５２】
パターン検出回路５０は、位相差検出を行う２値化信号のパターンを検出するものであり、第１、及び第２のコンパレータ３２ａ、３２ｂから出力される２値化信号のパルス幅を検出することにより、パターンを検出する。
【００５３】
無効パルスキャンセル部３５は、パターン検出回路５０により検出された、第１、及び第２のコンパレータ３２ａ、３２ｂによる２値化信号のパルス幅が、所定の値以下、あるいは所定の値以上である場合に、かかる２値化信号を無効パルスとして扱い、位相比較器３３で検出された位相比較結果のうち、かかる２値化信号により求めた位相比較をキャンセルして使用しないようにするものである。
【００５４】
次に、本実施の形態２におけるパターン検出回路５０、及び位相差検出回路３７の動作について説明する。
図８は、本発明の実施の形態２によるアドレス信号位置検出装置における、無効パルスキャンセル部３５の動作を説明するための説明図であり、図８（ａ）は無効パルスキャンセル部３５において位相比較をキャンセルしない場合を、図８（ｂ）は無効パルスキャンセル部３５において位相比較をキャンセルする場合を示す図である。
【００５５】
ランド／グルーブ記録方式を用いた光ディスク媒体において、アドレス情報部はプリフォーマットによりあらかじめ情報ピットが形成されているが、データ記録部に関しては未記録状態が存在し、記録ピットが形成されていない場合がある。図８（ａ）に示すように、データ記録部に記録ピットが形成されていない場合、第１、及び第２のＨＰＦ３１ａ、３１ｂの出力波形には記録ピットによる波形は含まれない。しかし、第１、及び第２のコンパレータ３２ａ、３２ｂから出力される２値化信号は雑音等の影響により記録ピットとは無関係のパルスが発生し、これにより誤った位相比較信号が生成されることとなる。そのため、最終的にＬＰＦ３４による帯域制限をすることにより生成される位相差信号は、位相比較器３３における誤検出の影響を受けてレベルが変動してしまい、位相差信号処理部４０ではアドレス信号位置を誤って検出してしまう。
【００５６】
そこで、本実施の形態２によるアドレス信号位置検出装置では、第１、及び第２のコンパレータ３２ａ、３２ｂによる２値化信号において、記録ピットのパターンと一致しない２値化信号における位相比較結果をキャンセルすべく、パターン検出回路５０において第１、及び第２のコンパレータ３２ａ、３２ｂの２値化信号のパルス幅を検出し、位相差検出回路３７の無効パルスキャンセル部３５によって、該パターン検出回路５０で検出されたかかる２値化信号のパルス幅が、所定の値以下あるいは所定の値以上である場合に、かかる２値化信号を無効パルスとして扱い、位相比較器３３で検出された位相比較結果のうち、かかる２値化信号で求めた位相比較を出力しないようにするものである。
【００５７】
しかしながら、パターン検出回路５０に無効パルスと判定するために用いる設定値を適切に設定しなかった場合、図８（ａ）に示すように、ＬＰＦ３４に誤った出力が現れる
【００５８】
これに対し、適切な判定が行えるように設定値を適切に設定した場合は、図８（ｂ）に示すように、無効パルスキャンセル部３５によって無効パルスによる位相比較をキャンセルした場合には、雑音等の影響により発生した２値化信号による位相比較結果が出力されないため、ＬＰＦ３４による帯域制限をすることにより生成される位相差信号は、位相比較器３３における誤検出の影響によるレベル変動を抑えることができ、位相差信号処理部４０においてアドレス信号位置を誤って検出することを防ぐことができる。
【００５９】
次に、無効パルスキャンセル部３５において無効パルスの判定に用いる設定値の具体例について説明する。
例えば、ＤＶＤの記録符号として用いられている８−１６変調符号の場合にチャネルレートを１Ｔとすると、第１、及び第２のコンパレータ３２ａ、３２ｂから出力される２値化信号は３Ｔ〜１４Ｔの記録パターンから構成されることとなる。そこで、パターン検出回路５０はかかる２値化信号のパルス幅を検出し、検出されたパルス幅が、３Ｔ以下のパルス、あるいは１４Ｔ以上のパルスは無効パルスと判定し、位相差検出回路３７の無効パルスキャンセル部３５において、かかるパルスでの位相比較結果を出力しないようにする。
【００６０】
これは、例えば、次のような構成により実現できる。即ち、図７（ｂ）に示すように、パルス幅検出器５０１，５０２によりコンパレータ３２ａ，３２ｂの出力信号のパルス幅を検出し、無効パルス判定器５０３，５０４により、検出されたパルス幅が３Ｔ以下のパルス、あるいは１４Ｔ以上のものを無効パルスとして検出し、各無効パルスのフロントエッジおよびリアエッジをフロントエッジ検出器５０５およびリアエッジ検出器５０６によりそれぞれ検出し、最先フロントエッジ検出器５０７により最初に現れるフロントエッジを、最終リアエッジ検出器５０８により最後に現れるリアエッジをそれぞれ検出し、これらの検出結果によりモノマルチバイブレータ５０９を駆動し、セレクタ３５２の切り替え信号を発生する。セレクタ３５２はこの切り替え信号がＬのとき位相比較器３３の出力信号を選択し、切り替え信号がＨのとき位相比較器３３の出力信号のセンターレベルを出力するセンターレベル出力器３５１の出力信号を選択し、これをＬＰＦ３４に出力する。これにより、情報記録部の実記録部分において無効パルスが発生している場合はこれをキャンセルすることができる。
【００６１】
なお、ここで、ｎＴ（ｎは1以上の整数）とは、記録するデータ"０"または"１"の連続する回数がｎ回であることを意味する。
【００６２】
このように、本発明の実施の形態２によるアドレス信号位置検出装置によれば、パターン検出回路５０により位相比較に用いる第１、及び第２のコンパレータ３２ａ、３２ｂの２値化信号のパルス幅を検出し、位相差検出回路３７の無効パルスキャンセル部３５によって、パターン検出回路５０で検出されたパルス幅が、所定の値以下あるいは所定の値以上のパルスである場合には、かかるパルスを無効パルスとして扱い、かかるパルスでの位相比較を出力しないようにすることにより、ランド／グルーブ記録方式を用いた光ディスク媒体のデータ記録部に記録ピットが形成されていない場合であっても、安定したアドレス信号位置検出を行うことが可能となる。
【００６３】
（実施の形態３）
以下に、本発明の実施の形態３によるアドレス信号位置検出装置について説明する。
図９（ａ）は、本発明の実施の形態３によるアドレス信号位置検出装置の全体構成を示すブロック図である。また、図９（ｂ）は、その振幅検出回路の内部構成の一例を示すブロック図である。
【００６４】
図９（ａ）において、本実施の形態３によるアドレス信号位置検出装置は、フォトディテクタ１０と、第１、及び第２の加算器２０ａ、２０ｂと、位相差検出回路３８と、振幅検出回路６０と、位相差信号処理部４０とを備える。なお、本実施の形態３によるアドレス信号位置検出装置における、位相差検出回路３８、及び振幅検出回路６０以外の各構成要素は、図１を用いて前述した実施の形態１と同じであるため、ここでは、同一の符号を付してその説明を省略する。
【００６５】
位相差検出回路３８は、第１、及び第２のＨＰＦ３１ａ、３１ｂと、第１、及び第２のコンパレータ３２ａ、３２ｂと、位相比較器３３と、出力信号制御部３６と、ＬＰＦ３４とからなる。なお、位相差検出回路３８を構成する出力信号制御部３６以外の各構成要素は、図１を用いて前述した実施の形態１と同じであるため、ここでは、同一の符号を付し、説明を省略する。
【００６６】
振幅検出回路６０は、図９（ｂ）に示すように、第１、及び第２のＨＰＦ３１ａ、３１ｂから出力される各信号の和信号を加算器６０１により得て、エンベロープ検出器６０２によりその和信号のエンベロープ信号を検出し、比較器６０４により該エンベロープ信号の値が所定の閾値以下であるか否かを検出し、その検出結果に基づいて、位相差検出回路３８の出力信号制御部３６を動作させるか否かを知らせるゲート信号を生成して出力する等により実現できるものである。この振幅検出回路６０は、エンベロープ信号の値が所定の閾値以上の場合にはＨｉ，エンベロープ信号の値が所定の閾値以下の場合にはＬｏ，となるゲート信号を出力するものとする。なお、振幅検出回路６０が有する所定の閾値は、任意に設定できるものであり、予め閾値発生器６０３に前記所定の値を設定しておく。
【００６７】
出力信号制御部３６は、例えばアッテネータ等で構成されるものであり、振幅検出回路６０で生成される前記ゲート信号により、位相比較器３３から出力される位相比較結果を出力するか否かを制御するものであり、振幅検出回路６０で生成される前記ゲート信号がＨｉの場合には、位相比較器３３で生成される位相比較結果をそのまま出力し、振幅検出回路６０で生成される前記ゲート信号がＬｏの場合には、位相比較器３３で生成される位相比較結果を出力しないものとする。
【００６８】
次に、本実施の形態３における振幅検出回路６０の動作について説明する。
図１０は、本実施の形態３のアドレス信号位置検出回路における振幅検出回路６０の動作を説明するための説明図であり、図１０（ａ）は振幅検出回路６０により検出されるエンベロープ信号を、図１０（ｂ）は振幅検出回路６０から出力されるゲート信号を示す図である。
【００６９】
第１、及び第２のＨＰＦ３１ａ、３１ｂから出力される各信号は、振幅検出回路６０に入力され、図１０（ａ）に示すようなエンベロープ信号が検出される。そして、かかるエンベロープ信号は、図１０（ｂ）に示すように、所定の閾値と比較され、エンベロープ信号が所定の閾値以上の場合には、入力信号が大信号振幅であると判断し、Ｈｉのゲート信号が出力される。一方で、エンベロープ信号の値が所定の閾値より小さい場合には、入力信号が小信号振幅であると判断し、Ｌｏのゲート信号が出力される。
【００７０】
その後、振幅検出回路６０から出力されたゲート信号は、位相差検出回路３８の出力信号制御部３６に入力され、該ゲート信号がＨｉの間にのみ位相比較器３３の位相比較結果を出力し、該ゲート信号がＬｏの場合、すなわち、振幅検出回路６０により小信号振幅と判断された期間では位相比較器３３による位相比較結果は出力されない。
【００７１】
前述の図８で説明したように、ランド／グルーブ記録方式を用いた光ディスク媒体において、データ記録部に記録ピットが形成されていない場合には、誤った位相比較信号が生成されることがあるが、振幅検出回路６０において小信号振幅の状態、すなわち、未記録状態を検出して、位相比較器３３による位相比較結果を出力しないようにすることで、誤検出の影響を避けることができる。
【００７２】
このように、本発明の実施の形態３によるアドレス信号位置検出装置によれば、振幅検出回路６０により第１、及び第２のＨＰＦ３１ａ、３１ｂから出力される各信号のエンベロープ信号を検出して、該エンベロープ信号の値が所定の値以上の場合のみ、位相比較器３３の位相比較結果を参照する出力信号制御部３６を位相差検出回路３８に備えたことにより、ランド／グルーブ記録方式を用いた光ディスク媒体のデータ記録部に記録ピットが形成されていない場合であっても、安定したアドレス信号位置の検出を行うことが可能となる。
【００７３】
なお、上述の実施の形態３によるアドレス信号位置検出装置は、光ディスク再生装置として利用可能である。具体的には、図１４に示す構成となる。
【００７４】
図１４に示す光ディスク再生装置は、光ディスク２０１を回転させるスピンドルモータ２０２と、光ディスク２０１から再生信号を読み取る光ピックアップ２０３と、光ピックアップ２０３の出力信号から光ディスク２０１にデジタル記録されたデータを再生する再生信号処理回路２０４と、再生信号処理回路２０４から出力される２値化データを復調し、エラー訂正処理を施して光ディスクに記録されたデータを取り出し復調データとして出力する復調回路２０５と、外部装置と通信やデータの受け渡しを行うとともに、各ブロックの制御を行うシステムコントローラ２０６と、上記実施の形態３に相当するアドレス信号位置検出装置に相当するアドレス位置検出回路２０７と、光ピックアップ２０３の出力信号からスピンドルモータ２０２および光ピックアップ２０３を制御するために必要となるサーボ誤差信号を生成するサーボ誤差検出回路２０８と、サーボ誤差検出回路２０８が出力するサーボ誤差信号に基づいてスピンドルモータ２０２および光ピックアップ２０３を制御するサーボ制御回路２０９とを備えた構成となっており、上記実施の形態３に相当するアドレス信号位置検出装置に相当するアドレス位置検出回路２０７を備えたことにより、アドレス情報部の前後においてＤＣ対称性が悪い場合にも、安定したアドレス信号位置の検出が可能となる効果が得られるだけでなく、ランド／グルーブ記録方式を用いた光ディスク媒体のデータ記録部に記録ピットが形成されていない場合であっても、安定したアドレス信号位置の検出を行うことが可能となる。
なお、この光ディスク再生装置の構成は、光ディスク記録／再生装置や光ディスク記録／再生装置とＶＴＲ，ハードディスクレコーダとの複合機等の再生部にも適用できることは言うまでもない。
【産業上の利用可能性】
【００７５】
本発明にかかるアドレス信号位置検出装置は、ＤＶＤ−ＲＡＭに代表される、案内溝によって形成された凹部の記録トラックと案内溝の間に形成された溝間部の記録トラックとの両方に信号が記録され、各記録トラックが長さの等しい整数個の記録セクタで構成され、それぞれの記録セクタの先頭部分にトラックアドレス等の情報を含むアドレス信号部が付加される光ディスク媒体に用いて有用である。
【図面の簡単な説明】
【００７６】
【図１】本発明の実施の形態１によるアドレス信号位置検出装置の構成を示すブロック図である。
【図２】（ａ）は光スポットが情報ピットの中心よりも左側を通過する際の、両者の位置関係を示す図である。（ｂ）は光スポットが情報ピットの中心よりも左側を通過する際の、受光素子上における反射光量の強度分布パターン（ファーフィールドパターン）を示す図である。（ｃ）は光スポットが情報ピットの中心よりも左側を通過する際の、受光素子から得られる信号を示す図である。
【図３】（ａ）は光スポットが情報ピットの中心を通過する際の、両者の位置関係を示す図である。（ｂ）は光スポットが情報ピットの中心を通過する際の、受光素子上における反射光量の強度分布パターン（ファーフィールドパターン）を示す図である。（ｃ）は光スポットが情報ピットの中心を通過する際の、受光素子から得られる信号を示す図である。
【図４】（ａ）は光スポットが情報ピットの中心よりも右側を通過する際の、両者の位置関係を示す図である。（ｂ）は光スポットが情報ピットの中心よりも右側を通過する際の、受光素子上における反射光量の強度分布パターン（ファーフィールドパターン）を示す図である。（ｃ）は光スポットが情報ピットの中心よりも右側を通過する際の、受光素子から得られる信号を示す図である。
【図５】ランド／グルーブ記録方式を用いた光ディスク媒体上における光スポットと記録ピットとの関係を示した図である。
【図６】本発明の実施の形態１によるアドレス信号位置検出装置の動作を説明するための図である。
【図７】（ａ）は本発明の実施の形態２によるアドレス信号位置検出装置を示すブロック図である。（ｂ）は図７（ａ）のパターン検出回路および無効パルスキャンセル部の構成例を示すブロック図である。
【図８】（ａ）は本発明の実施の形態２によるアドレス信号位置検出装置の無効パルスキャンセル部が位相比較をキャンセルしないと仮定した場合を説明するための図である。８（ｂ）は本発明の実施の形態２によるアドレス信号位置検出装置の無効パルスキャンセル部が位相比較をキャンセルする場合を説明するための図である。
【図９】（ａ）は本発明の実施の形態３によるアドレス信号位置検出装置を示すブロック図である。（ｂ）は図９（ａ）の振幅検出回路の構成例を示すブロック図である。
【図１０】（ａ）は本発明の実施の形態３によるアドレス信号位置検出装置の振幅検出回路により検出されるエンベロープ信号を示す図である。（ｂ）は本発明の実施の形態３によるアドレス信号位置検出装置の振幅検出回路から出力されるゲート信号を示す図である。
【図１１】ランド／グルーブ記録方式を用いた光ディスク媒体のトラックレイアウトを示す図である。
【図１２】従来のアドレス信号位置検出装置の動作を説明するための図である。
【図１３】ＤＣ対称性が悪い場合における従来のアドレス信号位置検出装置により検出されるアドレス位置検出信号を示す図である。
【図１４】本発明の実施の形態３によるアドレス信号位置検出装置を備えた光ディスク再生装置の構成を示す図である。
【符号の説明】
【００７７】
１０  フォトディテクタ
１０ａ、１０ｂ、１０ｃ、１０ｄ  受光素子
２０ａ、２０ｂ  加算器
３０、３７、３８  位相差検出回路
４０  位相差信号処理部
３１ａ、３１ｂ  ハイパスフィルタ（ＨＰＦ）
３２ａ、３２ｂ、４１ａ、４１ｂ  コンパレータ
３４  ローパスフィルタ（ＬＰＦ）
３５  無効パルスキャンセル部
３６  出力信号制御部
３３１ａ、３３１ｂ  Ｄ型フリップフロップ（Ｄ−ＦＦ）
３３２  差分検出器
５０  パターン検出回路
６０  振幅検出回路
１００  光スポット
１１０  情報ピット
２０１  光ディスク
２０２  スピンドルモータ
２０３  光ピックアップ
２０４  再生信号処理装置
２０５  復調回路
２０６  システムコントローラ
２０７  アドレス位置検出装置
２０８  サーボ誤差検出回路
２０９  サーボ制御回路
【図１】
2005158244.tif 000003
【図２】
2005158244.tif 000004
【図３】
2005158244.tif 000005
【図４】
2005158244.tif 000006
【図５】
2005158244.tif 000007
【図６】
2005158244.tif 000008
【図７】
2005158244.tif 000009
【図８】
2005158244.tif 000010
【図９】
2005158244.tif 000011
【図１０】
2005158244.tif 000012
【図１１】
2005158244.tif 000013
【図１２】
2005158244.tif 000014
【図１３】
2005158244.tif 000015
【図１４】
2005158244.tif 000016